(57)【要約】【課題】アルバムをユーザに提供した場合に、アルバム作成料金の課金がなされていない状態でのアルバムのコピーを防止する。【解決手段】本発明に係るアルバム提供システムは、画像を取得する画像取得部と、取得した画像からアルバムを作成するアルバム作成部と、アルバムに配置された画像の上に、画像の閲覧を妨げるための閲覧防止フィルムを貼り付けるフィルム貼付部と、閲覧防止フィルムが貼り付けられたアルバムをユーザに提供後、ユーザから返却された場合に、返却されたアルバムに配置された画像の上に、閲覧防止フィルムが貼り付けられている否かを判断するフィルム有無判断部と、フィルム有無判断部が画像の上に閲覧防止フィルムが貼り付けられていないと判断した場合に、ユーザに課金処理を実行する課金部とを備える。【選択図】図３
2006301859.tif 000002
【特許請求の範囲】
【請求項１】
ユーザから画像を取得する画像取得部と、
前記画像取得部が取得した画像を配置してアルバムを作成するアルバム作成部と、
前記アルバム作成部が作成したアルバムに配置された画像の上に、画像の閲覧を妨げるための閲覧防止フィルムを貼り付けるフィルム貼付部と、
前記フィルム貼付部によって画像に閲覧防止フィルムが貼り付けられたアルバムがユーザに提供された後にユーザから返却された場合に、ユーザから返却されたアルバムに配置された画像の上に、前記フィルム貼付部が貼り付けた閲覧防止フィルムが貼り付けられている否かを判断するフィルム有無判断部と、
前記フィルム有無判断部が画像の上に閲覧防止フィルムが貼り付けられていないと判断した場合に、ユーザに対する課金処理を実行する課金部と
を備えるアルバム提供システム。
【請求項２】
前記フィルム有無判断部が画像の上に閲覧防止フィルムが貼り付けられていると判断した場合に、ユーザから返却されたアルバムに配置された画像の上に貼り付けられている閲覧防止フィルムが、前記フィルム貼付部によって適正に貼り付けられた閲覧防止フィルムであるか否かを判断するフィルム適正判断部
をさらに備え、
前記課金部は、前記フィルム適正判断部が、ユーザから返却されたアルバムに配置された画像の上に貼り付けられている閲覧防止フィルムが適正に貼り付けられた閲覧防止フィルムでないと判断した場合に、ユーザに対する課金処理を実行する
請求項１に記載のアルバム提供システム。
【請求項３】
アルバムに配置された画像の画像データを格納する画像格納部
をさらに備え、
前記フィルム適正判断部は、
閲覧防止フィルムを介さずに見える画像の外観に対する、閲覧防止フィルムを介して見える画像の外観の変化を示す画像変化関数を格納する画像変化関数格納部と、
前記画像変化関数格納部が格納する画像変化関数を用いて、前記画像格納部が格納している画像データから、閲覧防止フィルムを介して見える画像の外観を算出する画像外観算出部と、
ユーザから返却されたアルバムに配置された画像の外観を、閲覧防止フィルムを介して撮像する撮像部と、
前記画像外観算出部が算出した画像の外観と、前記撮像部が撮像した画像の外観とを比較することによって、ユーザから返却されたアルバムに配置された画像の上に貼り付けられている閲覧防止フィルムが、前記フィルム貼付部によって適正に貼り付けられた閲覧防止フィルムであるか否かを判断する画像外観比較判断部と
を有する請求項２に記載のアルバム提供システム。
【請求項４】
前記画像格納部は、アルバムに配置された画像の画像データを、アルバムにおける画像の配置位置とともに格納し、
前記画像外観比較判断部は、前記画像外観算出部が算出した画像の外観と、前記画像格納部が格納する配置位置に配置された画像を前記撮像部が撮像した画像の外観とを比較する
請求項３に記載のアルバム提供システム。
【請求項５】
前記フィルム貼付部が画像の上に貼り付けた閲覧防止フィルムは、画像の外観をぼかすための半透明のフィルムであり、
前記画像変化関数格納部は、半透明の閲覧防止フィルムが貼り付けられることによる画像のぼけ量を示す画像変化関数を格納し、
前記画像外観算出部は、前記画像格納部が格納している画像データから、閲覧防止フィルムを介することによってぼかされた画像の外観を算出し、
前記画像外観比較判断部は、前記画像外観算出部が算出したぼかされた画像の外観と、前記撮像部が撮像した画像の外観とを比較することによって、ユーザから返却されたアルバムに配置された画像の上に貼り付けられている閲覧防止フィルムが、前記フィルム貼付部によって適正に貼り付けられた閲覧防止フィルムであるか否かを判断する
請求項３に記載のアルバム提供システム。
【請求項６】
前記フィルム貼付部が画像の上に貼り付けた閲覧防止フィルムは、画像の外観に模様を重畳するための模様が描かれたフィルムであり、
前記画像変化関数格納部は、模様が描かれた閲覧防止フィルムが貼り付けられることによる画像の外観の変化を示す画像変化関数を格納し、
前記画像外観算出部は、前記画像格納部が格納している画像データから、閲覧防止フィルムを介することによって模様が重畳された画像の外観を算出し、
前記画像外観比較判断部は、前記画像外観算出部が算出した模様が重畳された画像の外観と、前記撮像部が撮像した画像の外観とを比較することによって、ユーザから返却されたアルバムに配置された画像の上に貼り付けられている閲覧防止フィルムが、前記フィルム貼付部によって適正に貼り付けられた閲覧防止フィルムであるか否かを判断する
請求項３に記載のアルバム提供システム。
【請求項７】
ユーザから画像を取得する画像取得段階と、
前記画像取得段階が取得した画像を配置してアルバムを作成するアルバム作成段階と、
前記アルバム作成段階が作成したアルバムに配置された画像の上に、画像の閲覧を妨げるための閲覧防止フィルムを貼り付けるフィルム貼付段階と、
前記フィルム貼付段階によって画像に閲覧防止フィルムが貼り付けられたアルバムがユーザに提供された後にユーザから返却された場合に、ユーザから返却されたアルバムに配置された画像の上に、前記フィルム貼付段階が貼り付けた閲覧防止フィルムが貼り付けられている否かを判断するフィルム有無判断段階と、
前記フィルム有無判断段階が画像の上に閲覧防止フィルムが貼り付けられていないと判断した場合に、ユーザに対する課金処理を実行する課金段階と
を備えるアルバム提供方法。
【発明の詳細な説明】
【技術分野】
【０００１】
本発明は、アルバム提供システム、及びアルバム提供方法に関する。特に、本発明は、閲覧防止フィルムが貼り付けられているアルバムのアルバム提供システム、及びアルバム提供方法に関する。
【背景技術】
【０００２】
旅行等においてデジタルスチルカメラで撮像された多数の画像は、予め定められたテンプレート内にレイアウトされ、テレビモニターに表示されたり、紙面に印刷されてアルバムとして観賞されている。また、撮像した多数の画像を印刷する場合には、デザイナーなどによって雑誌、アルバムなどにレイアウトされ、観賞者に提供されている。
【特許文献１】特開２００４−２２１６４７号公報
【発明の開示】
【発明が解決しようとする課題】
【０００３】
しかしながら、特許文献１に係る発明により、画像レイアウトに趣向を凝らしたアルバムを作成した場合において、アルバム作成依頼者であるユーザが、アルバムの仕上がり状態を確認したい場合がある。アルバムの仕上がり状態は、インターネット等のネットワークを介して、モニタ等により確認することもできるが、モニタ等に映し出されたアルバムは、実際のアルバムと同一の色彩を呈するとは限らない。したがって、ユーザは実際のアルバムを手にとって、アルバムの仕上がり状態を確認したい場合がある。
【０００４】
その場合において、アルバム作成業者は、ユーザにアルバムの出来栄えを確認させるために、アルバム作成料金をユーザに課金せずに作成されたアルバムをユーザに提供することが考えられる。係る場合においては、ユーザはアルバム作成料金を支払わずにアルバムをコピーする可能性がある。また、予めアルバム作成業者がアルバム作成料金をユーザに課金して、ユーザに作成されたアルバムを提供すると、ユーザからアルバムレイアウトの変更等の要求がなされた場合に、改めてアルバム作成業者からユーザに課金する必要が発生するので、課金システムが複雑になるという問題がある。
【０００５】
そこで本発明は、上記課題を解決することができるアルバム提供システム、及びアルバム提供方法を提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、アルバム提供システムであって、ユーザから画像を取得する画像取得部と、画像取得部が取得した画像を配置してアルバムを作成するアルバム作成部と、アルバム作成部が作成したアルバムに配置された画像の上に、画像の閲覧を妨げるための閲覧防止フィルムを貼り付けるフィルム貼付部と、フィルム貼付部によって画像に閲覧防止フィルムが貼り付けられたアルバムがユーザに提供された後にユーザから返却された場合に、ユーザから返却されたアルバムに配置された画像の上に、フィルム貼付部が貼り付けた閲覧防止フィルムが貼り付けられている否かを判断するフィルム有無判断部と、フィルム有無判断部が画像の上に閲覧防止フィルムが貼り付けられていないと判断した場合に、ユーザに対する課金処理を実行する課金部とを備える。
【０００７】
また、フィルム有無判断部が画像の上に閲覧防止フィルムが貼り付けられていると判断した場合に、ユーザから返却されたアルバムに配置された画像の上に貼り付けられている閲覧防止フィルムが、フィルム貼付部によって適正に貼り付けられた閲覧防止フィルムであるか否かを判断するフィルム適正判断部をさらに備え、課金部は、フィルム適正判断部が、ユーザから返却されたアルバムに配置された画像の上に貼り付けられている閲覧防止フィルムが適正に貼り付けられた閲覧防止フィルムでないと判断した場合に、ユーザに対する課金処理を実行してもよい。
【０００８】
また、アルバムに配置された画像の画像データを格納する画像格納部を更に備え、フィルム適正判断部は、閲覧防止フィルムを介さずに見える画像の外観に対する、閲覧防止フィルムを介して見える画像の外観の変化を示す画像変化関数を格納する画像変化関数格納部と、画像変化関数格納部が格納する画像変化関数を用いて、画像格納部が格納している画像データから、閲覧防止フィルムを介して見える画像の外観を算出する画像外観算出部と、ユーザから返却されたアルバムに配置された画像の外観を、閲覧防止フィルムを介して撮像する撮像部と、画像外観算出部が算出した画像の外観と、撮像部が撮像した画像の外観とを比較することによって、ユーザから返却されたアルバムに配置された画像の上に貼り付けられている閲覧防止フィルムが、フィルム貼付部によって適正に貼り付けられた閲覧防止フィルムであるか否かを判断する画像外観比較判断部とを有してもよい。そして、画像格納部は、アルバムに配置された画像の画像データを、アルバムにおける画像の配置位置とともに格納し、画像外観比較判断部は、画像外観算出部が算出した画像の外観と、画像格納部が格納する配置位置に配置された画像を撮像部が撮像した画像の外観とを比較してもよい。
【０００９】
更に、また、フィルム貼付部が画像の上に貼り付けた閲覧防止フィルムは、画像の外観をぼかすための半透明のフィルムであり、画像変化関数格納部は、半透明の閲覧防止フィルムが貼り付けられることによる画像のぼけ量を示す画像変化関数を格納し、画像外観算出部は、画像格納部が格納している画像データから、閲覧防止フィルムを介することによってぼかされた画像の外観を算出し、画像外観比較判断部は、画像外観算出部が算出したぼかされた画像の外観と、撮像部が撮像した画像の外観とを比較することによって、ユーザから返却されたアルバムに配置された画像の上に貼り付けられている閲覧防止フィルムが、前記フィルム貼付部によって適正に貼り付けられた閲覧防止フィルムであるか否かを判断してもよい。
【００１０】
また、フィルム貼付部が画像の上に貼り付けた閲覧防止フィルムは、画像の外観に模様を重畳するための模様が描かれたフィルムであり、画像変化関数格納部は、模様が描かれた閲覧防止フィルムが貼り付けられることによる画像の外観の変化を示す画像変化関数を格納し、画像外観算出部は、画像格納部が格納している画像データから、閲覧防止フィルムを介することによって模様が重畳された画像の外観を算出し、画像外観比較判断部は、画像外観算出部が算出した模様が重畳された画像の外観と、撮像部が撮像した画像の外観とを比較することによって、ユーザから返却されたアルバムに配置された画像の上に貼り付けられている閲覧防止フィルムが、フィルム貼付部によって適正に貼り付けられた閲覧防止フィルムであるか否かを判断してもよい。
【００１１】
また、本発明の第２の形態においては、アルバム提供方法であって、画像取得段階が取得した画像を配置してアルバムを作成するアルバム作成段階と、アルバム作成段階が作成したアルバムに配置された画像の上に、画像の閲覧を妨げるための閲覧防止フィルムを貼り付けるフィルム貼付段階と、フィルム貼付段階によって画像に閲覧防止フィルムが貼り付けられたアルバムがユーザに提供された後にユーザから返却された場合に、ユーザから返却されたアルバムに配置された画像の上に、フィルム貼付段階が貼り付けた閲覧防止フィルムが貼り付けられている否かを判断するフィルム有無判断段階と、フィルム有無判断段階が画像の上に閲覧防止フィルムが貼り付けられていないと判断した場合に、ユーザに対する課金処理を実行する課金段階とを備える。
【００１２】
なお、上記の発明の概要は、本発明の必要な特徴の全てを列挙したものではなく、これらの特徴群のサブコンビネーションもまた、発明となりうる。
【発明の効果】
【００１３】
本発明によれば、作成されたアルバムの仕上がり状態をユーザに確認させるために、作成されたアルバムをユーザに提供した場合に、アルバム作成料金の課金がなされていない状態でのアルバムのコピーを防止することができる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の一実施形態に係るアルバム提供システム１００の概要を示す。アルバム提供システム１００は、サーバ１１０、及びアルバム作成装置１２０を備える。本実施形態に係るアルバム提供システム１００は、アルバム作成装置１２０によって作成されたアルバムの仕上がり状態をユーザに確認させるために、作成されたアルバムをユーザに提供した場合に、アルバム作成料金の課金がなされていない状態でのアルバムのコピーを防止することを目的とする。
【００１６】
アルバム提供システム１００において、ユーザは、撮像した画像データをインターネット等のネットワーク１０５を介して、アルバム提供システム１００が備えるサーバ１１０に供給する。また、サーバ１１０は、画像データをメモリ等から受け取ってもよい。また、ユーザは、画像データをサーバ１１０に供給する場合において、画像データをアルバムにレイアウトするデザイナーを指定する。そして、ユーザに指定されたデザイナーは、サーバ１１０に供給された画像データに適したアルバムをデザインして、アルバムのレイアウトのデータを、サーバ１１０に供給する。続いて、アルバム作成装置１２０は、サーバ１１０から画像データ、及びアルバムのレイアウトのデータを受け取り、アルバムを作成する。また、アルバム提供システム１００は、デザイナーからアルバムのレイアウトのデータを受け取って格納してもよい。そして、アルバム作成装置１２０は、サーバ１１０から画像データ、及びアルバムのレイアウトのデータを受け取り、アルバムを作成してもよい。更に、デザイナーは、ユーザによってサーバ１１０に供給された画像データを用いて、アルバムのページを作成して、作成されたアルバムのページをサーバ１１０に供給してもよい。
【００１７】
そして、アルバム作成装置１２０は、作成されたアルバム２００に閲覧防止フィルム２１０を貼り付ける。例えば、撮像画像２０２、撮像画像２０４、及び撮像画像２０６の全てが覆われるように、閲覧防止フィルム２１０を貼り付けてよい。また、閲覧防止フィルム２１０を貼り付けないページを設けてもよく、閲覧防止フィルム２１０をアルバム２００のページの一部に貼り付けてもよい。更には、特定の画像、模様等に対して閲覧防止フィルム２１０を貼り付けてもよい。閲覧防止フィルム２１０をアルバム２００に貼り付けることにより、閲覧防止フィルム２１０が貼り付けられたアルバム２００の撮像画像２０２、撮像画像２０４、及び撮像画像２０６は、鮮明な画像として見ることができなくなる。また、閲覧防止フィルム２１０をアルバム２００の画像上に貼り付けることにより、アルバム２００の撮像画像２０２、撮像画像２０４、及び撮像画像２０６については、鮮明なコピーができなくなる。そして、閲覧防止フィルム２１０をユーザが観賞を欲する画像に貼り付けることにより、ユーザの、アルバム２００を購入してアルバム２００を観賞したいという欲求を刺激することができる。
【００１８】
また、閲覧防止フィルム２１０は、一度はがしたら再び貼ることができないフィルムであってよい。これにより、ユーザが、閲覧防止フィルム２１０をはがしてアルバムの画像を観賞した場合には、アルバムを観賞した事実を確実に把握できる。更には、閲覧防止フィルム２１０にはフィルムを一意に識別する識別子、アルバム２００の返却期限等を記録しておいてもよい。アルバム提供システム１００は、閲覧防止フィルム２１０が貼り付けられたアルバム２００を、ユーザに出荷する。
【００１９】
ユーザは、出荷されたアルバム２００を受け取り、閲覧防止フィルム２１０が貼り付けられたアルバム２００のページ、及び閲覧防止フィルム２１０が貼り付けられていないページをチェックして、アルバム２００を購入するか否かを決定する。ユーザがアルバム２００を購入する場合には、ユーザはアルバム２００をそのまま所持してよい。そして、アルバム提供システム１００は、アルバム２００の返却期間の経過後にユーザに課金する。一方、ユーザがアルバム２００を購入しない場合には、ユーザによりアルバム２００はアルバム提供システム１００に返却される。
【００２０】
アルバム作成装置１２０は、返却されたアルバム２００の返却期間が過ぎているか否か、閲覧防止フィルム２１０が貼られているか否か、及び閲覧防止フィルム２１０が貼られていた場合には、当該閲覧防止フィルム２１０が適正に貼り付けられたものか否かを判断する。そして、アルバム２００の返却期間が過ぎている場合、閲覧防止フィルム２１０が貼られていない場合、及び閲覧防止フィルム２１０が適正に貼り付けられたものでない場合には、アルバム作成装置１２０は、その旨を示す情報をサーバ１１０に供給する。そして、サーバ１１０はユーザに対して課金処理をする。
【００２１】
本実施形態に係るアルバム提供システム１００によれば、アルバムの画像に閲覧防止フィルム２１０を貼り付けることによって、閲覧防止フィルム２１０をはがさずに、アルバムの画像の鮮明なコピーをすることを防止できる。また、閲覧防止フィルム２１０が適正に貼り付けられたか否かの判断ができる。これにより、作成されたアルバムをユーザに提供した場合に、アルバム作成料金の課金がなされていない状態でのアルバムのコピーを防止できる。
【００２２】
図２は、本実施形態に係る閲覧防止フィルム２１０の断面図の一例を示す。閲覧防止フィルム２１０は、フィルム４０２と、フィルム４０２上に形成される発泡層４０４と、発泡層４０４上に形成される着色層４０６とを有する。そして、閲覧防止フィルム２１０は、アルバムの画像４０８が印刷されている紙４１０に、着色層４０６が形成されている面をアルバム側に付着するように貼り付けられる。閲覧防止フィルム２１０は、アルバムの画像を見難くすることによって、アルバムの画像の閲覧を妨げることができる。閲覧防止フィルム２１０は、アルバムの画像の外観をぼかすための半透明のフィルムであってよく、また、アルバムの画像が微かに見える程度の透明度を有していてもよい。また、閲覧防止フィルム２１０の表面に模様を付して、アルバムの画像を見難くしてもよい。更には、閲覧防止フィルム２１０は、アルバムの画像が、レンズ状、球面、及び波形状等のフィルタが入ったように見える効果を有するフィルム形状としてもよい。
【００２３】
ここで、フィルム４０２は、半透明のフィルムであってよい。また、フィルム４０２上に形成されている発泡層４０４の対向面のフィルム４０２上に、模様を付してもよい。更に、フィルム４０２は、偏光フィルムであってもよい。そして、フィルム４０２は、例えば、ポリエチレンテレフタレート（ＰＥＴ）、ポリプロピレン（ＰＰ）、ポリエステル（ＰＥ）等を用いて形成してよい。フィルム４０２は、フィルム４０２の形成に用いる高分子材料の結晶性、密度等を制御して透明度を制御できる。また、フィルム４０２に着色剤を混入して、半透明にしてもよい。
【００２４】
発泡層４０４は、過熱することにより気体を発生する材料で形成する。例えば、レーザ光を照射して、局所的に発泡層４０４を加熱することにより、気体を発生させることができる。発泡層４０４としては、例えば、加熱により窒素を発生する、含窒素有機化合物を用いることができ、具体的には、非アジ化系有機化合物、ニトロソ系化合物、ヒドラジド系化合物、及びテトラゾール系化合物等を用いてよい。
【００２５】
着色層４０６は、発泡層４０４から気体が放出された場合に、放出された気体の圧力により、着色層４０６の一部を、アルバムの紙４１０に付着させる。着色層４０６は、ＵＶ硬化インク、固形インク等を用いて形成してよい。また、着色層４０６は、擬似接着層として形成して、擬似接着層にＵＶ硬化インク、固形インク等を混入させてもよい。着色層４０６を擬似接着層として形成することにより、閲覧防止フィルム２１０を、アルバムから一度はがした場合には、再度当該閲覧防止フィルム２１０をアルバムに貼り付けることを防止できる。
【００２６】
閲覧防止フィルム２１０にレーザ光を照射すると、発泡層４０４の一部である発泡部分４１２が熱せられて、熱せられた発泡層４０４の発泡部分４１２から気体が発生する。そして、発生した気体の圧力により、着色層４０６の一部である着色部分４１４が、アルバムの紙４１０に付着する。これにより、閲覧防止フィルム２１０、及びアルバムの紙４１０に、画像を一意に識別する識別子、閲覧防止フィルム２１０を一意に識別する識別子、アルバムの返却期限等を印字できる。
【００２７】
図３は、本実施形態に係るアルバム提供システム１００の機能構成の一例を示す。アルバム提供システム１００は、画像取得部１０、アルバム作成部２０、フィルム貼付部３０、印字部３５、フィルムデータ格納部４０、フィルム貼付位置格納部５０、画像格納部６０、フィルム適性判断部７０、フィルム有無判断部８０、及び課金部９０を備える。また、フィルム適性判断部７０は、画像変化関数格納部７１０、画像外観算出部７２０、撮像部７３０、及び画像外観比較判断部７４０を有する。
【００２８】
画像取得部１０は、インターネット等のネットワーク１０５、又は半導体記録媒体等を用いたメモリ等を介して、ユーザが撮像した画像を取得する。なお、画像取得部１０は、取得された画像に、画像データを一意に識別できる画像識別子を付してもよい。また、画像取得部１０は、デザイナーにより作成されたアルバムのレイアウトを取得してもよい。画像取得部１０は、取得された画像、及び取得されたアルバムのレイアウトをアルバム作成部２０、及び画像格納部６０へ供給する。アルバム作成部２０は、受け取った画像、及びアルバムのレイアウトを用いてアルバムを作成する。アルバム作成部２０は、作成されたアルバムをフィルム貼付部３０へ供給する。また、アルバム作成部２０は、アルバムに配置された画像の画像データ、画像データを一意に識別できる画像識別子、及びアルバムにおける画像の配置位置を画像格納部６０に供給する。
【００２９】
画像格納部６０は、アルバム作成部２０から受け取ったアルバムに配置された画像の画像データ、及びアルバムにおける画像の配置位置を、画像データを一意に識別できる画像識別子に対応づけて格納する。画像格納部６０は、画像識別子に対応付けられた画像データ、及びアルバムにおける画像の配置位置を、画像外観算出部７２０へ供給する。フィルムデータ格納部４０は、アルバムに貼り付ける閲覧防止フィルム２１０を一意に識別できるフィルム識別子に対応づけて、閲覧防止フィルム２１０のフィルムデータを格納する。フィルムデータ格納部４０は、アルバムに貼り付けた閲覧防止フィルム２１０に対応付けられたフィルム識別子を、フィルム貼付部３０、及び画像変化関数格納部７１０へ供給する。
【００３０】
フィルム貼付部３０は、アルバム作成部２０から受け取ったアルバムに配置された画像の上に、画像の閲覧を妨げるための閲覧防止フィルム２１０を貼り付ける。なお、閲覧防止フィルム２１０には、予め定められた位置に、フィルム有無判断マークが描かれている。また、フィルム貼付部３０は、フィルムデータ格納部４０から、アルバムに貼り付ける閲覧防止フィルム２１０のフィルム識別子を受け取る。閲覧防止フィルム２１０は、アルバムのページ全体を覆うように貼り付けてよい。また、アルバムに配置された画像の少なくとも一部、及びアルバムのページにおける模様等の少なくとも一部等を覆うように、閲覧防止フィルム２１０を貼り付けてもよい。フィルム貼付部３０は、閲覧防止フィルム２１０を貼り付けたアルバム、アルバムの画像の画像識別子、及び貼り付けた閲覧防止フィルム２１０に対応付けられたフィルム識別子を、印字部３５へ供給する。また、フィルム貼付部３０は、アルバムの画像に貼り付けられた閲覧防止フィルム２１０の位置を示す情報を、フィルム識別子に対応づけて、閲覧防止フィルム２１０を貼り付けた画像の画像識別子と共に、フィルム貼付位置格納部５０へ供給する。
【００３１】
フィルム貼付位置格納部５０は、アルバムの画像を一意に識別できる識別子に対応付けて、アルバムの画像の上に貼り付けられている閲覧防止フィルム２１０のフィルム識別子と、閲覧防止フィルム２１０が貼り付けられているアルバムにおける位置を示す情報である、フィルム貼付位置とを格納する。フィルム貼付位置格納部５０は、画像識別子、フィルム識別子、及びフィルム貼付位置を画像外観算出部７２０へ供給する。
【００３２】
印字部３５は、フィルム貼付部３０において閲覧防止フィルム２１０が貼り付けられたアルバムの閲覧防止フィルム２１０の予め定められた位置に、画像識別子、フィルム識別子、及びアルバム返却期限等を印字する。閲覧防止フィルム２１０に、例えば、局所的に加熱することのできるレーザ光を照射して、図２における上記説明において説明したように、アルバムに印字できる。また、閲覧防止フィルム２１０は、着色層４０６の一部がアルバムに付着しているので、閲覧防止フィルム２１０においては、着色層４０６の一部がアルバムに付着した後の、着色層４０６の一部がない部分に基づいて、画像識別子、フィルム識別子、及びアルバム返却期限等を読み取ってもよい。なお、画像識別子、フィルム識別子、及びアルバム返却期限等は、文字、記号等を用いて印字するだけではなく、バーコード等、人間がひと目で内容を把握できない形態で印字してもよい。印字部３５において、画像識別子、フィルム識別子、及びアルバム返却期限等が閲覧防止フィルム２１０に印字されたアルバムは、ユーザに出荷される。
【００３３】
フィルム有無判断部８０は、フィルム貼付部３０において画像に閲覧防止フィルム２１０が貼り付けられたアルバムがユーザに提供された後にユーザから返却された場合に、ユーザから返却されたアルバムに配置された画像の上に、フィルム貼付部３０において貼り付けられた閲覧防止フィルム２１０が貼り付けられているか否かを判断する。閲覧防止フィルム２１０の有無は、閲覧防止フィルム２１０上の予め定められた位置に描かれたフィルム有無判断マークを読み取って判断する。そして、フィルム有無判断部８０は、閲覧防止フィルム２１０に印字された、画像識別子、フィルム識別子、及びアルバムの返却期限を読み取る。続いて、フィルム有無判断部８０は、読み取ったアルバムの返却期限に基づいて、アルバム返却期限が過ぎているか否かを判断する。
【００３４】
フィルム有無判断部８０は、アルバムの返却期限が過ぎていた場合には、その旨を示す情報を課金部９０へ供給する。一方、アルバムの返却期限が過ぎていない場合には、フィルム有無判断部８０は、アルバムに配置された画像の上に、閲覧防止フィルム２１０が貼り付けられているか否かを判断する。フィルム有無判断部８０は、閲覧防止フィルム２１０がアルバムに貼り付けられている場合には、その旨を示す情報をフィルム適性判断部７０が有する撮像部７３０に供給する。一方、フィルム有無判断部８０は、閲覧防止フィルム２１０がアルバムに貼り付けられていない場合には、その旨を示す情報を課金部９０へ供給する。
【００３５】
撮像部７３０は、フィルム有無判断部８０から、ユーザから返却されたアルバムに閲覧防止フィルム２１０が貼り付けられている旨の情報を受け取った場合に、ユーザから返却されたアルバムに配置された画像の外観を、アルバムに貼り付けられた閲覧防止フィルム２１０を介して撮像する。そして、撮像部７３０は、撮像された画像の外観のデータを、画像外観比較判断部７４０へ供給する。
【００３６】
画像変化関数格納部７１０は、閲覧防止フィルム２１０を介さずに見える画像の外観に対する、閲覧防止フィルム２１０を介して見える画像の外観の変化を示す画像変化関数を格納する。画像変化関数格納部７１０は、フィルムデータ格納部４０から受け取ったフィルム識別子に対応付けられた画像変化関数を、画像外観算出部７２０に供給する。
【００３７】
画像外観算出部７２０は、画像変化関数格納部７１０から受け取った画像変化関数を用いて、画像格納部６０から受け取った画像データから、閲覧防止フィルム２１０を介して見える画像の外観を算出する。具体的には、画像外観算出部７２０は、フィルム貼付位置格納部５０から供給された画像識別子と、フィルム有無判断部８０において読み取られた画像識別子とが同一である画像識別子に対応付けられる画像データ、及び画像配置位置を画像格納部６０から受け取る。そして、フィルム貼付位置格納部５０から受け取ったフィルム識別子と、フィルム有無判断部８０において読み取られたフィルム識別子とが同一であるフィルム識別子に対応付けられる閲覧防止フィルム２１０のフィルムデータ、画像変化関数を、画像変化関数格納部７１０から受け取る。また、フィルム貼付位置格納部５０からフィルム有無判断部８０において読み取られたフィルム識別子に基づいて、閲覧防止フィルム２１０のアルバムにおけるフィルム貼付位置も受け取る。
【００３８】
そして、画像外観算出部７２０は、画像格納部６０から受け取った画像識別子に基づいて画像データを特定する。続いて、画像外観算出部７２０は、画像格納部６０から受け取った画像配置位置とフィルム貼付位置格納部５０から受け取ったフィルム貼付位置から、当該画像データに対応する画像の上に貼り付けられている、閲覧防止フィルム２１０を特定する。そして、画像外観算出部７２０は、フィルム識別子に基づいて、画像の上に貼付された閲覧防止フィルム２１０に対応する画像変化関数を画像変化関数格納部７１０から受け取り、受け取った画像変化関数に基づいて、閲覧防止フィルム２１０を介することによって変化する画像の外観を算出する。
【００３９】
例えば、画像変化関数が、半透明の閲覧防止フィルム２１０が画像の上に貼り付けられ、閲覧防止フィルム２１０を介して見ることのできる画像がぼける場合を考える。係る場合には、画像外観算出部７２０は、画像変化関数格納部７１０から受け取った、アルバムに貼り付けられている閲覧防止フィルム２１０のフィルム識別子に対応する画像変化関数を用いて、画像格納部６０から受け取った画像データに、画像をぼかす画像処理を施す。これにより、画像格納部６０から受け取った画像データから、閲覧防止フィルム２１０を画像に貼り付けた場合に、閲覧防止フィルム２１０を介して見ることのできる、ぼかされた画像の外観が算出される。
【００４０】
また、例えば、閲覧防止フィルム２１０が、画像の外観に模様を重畳するための模様が描かれていた場合を考える。係る場合には、画像外観算出部７２０は、画像変化関数格納部７１０から受け取った、アルバムに貼り付けられている閲覧防止フィルム２１０のフィルム識別子に対応する画像変化関数を用いて、画像格納部６０から受け取った画像データに、模様を重畳させる画像処理を施す。これにより、画像格納部６０から受け取った画像データから、閲覧防止フィルム２１０を画像に貼り付けた場合に、閲覧防止フィルム２１０を介して見ることのできる、模様が重畳された画像の外観が算出される。画像外観算出部７２０は、算出された画像の外観を、画像外観比較判断部７４０へ供給する。
【００４１】
画像外観比較判断部７４０は、画像外観算出部７２０において算出された画像の外観と、撮像部７３０において撮像された画像の外観とをマッチングにより比較する。そして、ユーザから返却されたアルバムに配置された画像の上に貼り付けられている閲覧防止フィルム２１０が、フィルム貼付部３０において適正に貼り付けられた閲覧防止フィルム２１０であるか否かを判断する。例えば、閲覧防止フィルム２１０を介して見る画像がぼける場合には、画像外観算出部７２０において算出されたぼかされた画像の外観と、撮像部７３０において撮像された画像の外観とをマッチングにより比較する。そして、ぼかされた画像の外観と、撮像された画像の外観とがマッチングにより一致した場合には、画像外観比較判断部７４０は、閲覧防止フィルム２１０は適正に貼り付けられたと判断する。一方、ぼかされた画像の外観と、撮像された画像の外観とがマッチングにより一致しなかった場合には、画像外観比較判断部７４０は、閲覧防止フィルム２１０が適正に貼り付けられていないと判断する。
【００４２】
また、フィルム貼付部３０において画像の上に貼り付けられた閲覧防止フィルム２１０に、画像の外観に模様を重畳するための模様が描かれていた場合においても、画像外観比較判断部７４０は、画像外観算出部７２０において算出された、模様が重畳された画像の外観と、撮像部７３０において撮像された画像の外観とをマッチングして比較する。そして、模様を重畳した画像の外観と、撮像された画像の外観とがマッチングにより一致した場合には、画像外観比較判断部７４０は、閲覧防止フィルム２１０が適正に貼り付けられたと判断する。一方、模様を重畳した画像の外観と、撮像された画像の外観とがマッチングにより一致しなかった場合には、画像外観比較判断部７４０は、閲覧防止フィルム２１０が適正に貼り付けられていないと判断する。
【００４３】
画像外観比較判断部７４０は、閲覧防止フィルム２１０が適正に貼り付けられた閲覧防止フィルム２１０ではないと判断した場合には、その旨を示す情報を、課金部９０へ供給する。課金部９０は、フィルム有無判断部８０から閲覧防止フィルム２１０が画像の上に貼り付けられていない旨の情報を受け取った場合に、ユーザに対して課金処理を実行する。また、フィルム適性判断部７０が有する画像外観比較判断部７４０から、ユーザから返却されたアルバムに配置された画像の上に貼り付けられている閲覧防止フィルム２１０が適正に貼り付けられた閲覧防止フィルム２１０ではない旨の情報を受け取った場合においても、ユーザに対して課金処理を実行する。
【００４４】
なお、課金部９０における課金処理をした後の、アルバム作成費用の支払い手段としては、ユーザは、電話会社経由、銀行経由、及びクレジット会社経由等により支払ってよい。電話会社経由では、課金部９０は、アルバム作成費用を電話代として課金する。電話代は、電話会社から請求される。銀行経由では、アルバム作成費用はユーザの銀行口座から引き落とされる。また、クレジット会社経由では、課金部９０は、アルバム作成費用をクレジット会社に請求する。そして、クレジット会社はユーザに所定の請求をする。これらの支払い手段により、ユーザはキャッシュレスでアルバム作成費用の支払いができる。
【００４５】
本実施形態に係るアルバム提供システム１００によれば、アルバムの画像に閲覧防止フィルム２１０を貼り付けるので、閲覧防止フィルム２１０をはがさずに、アルバムの画像を鮮明にコピーすることを防止できる。また、閲覧防止フィルム２１０が適正に貼り付けられたか否かの判断ができる。これにより、作成されたアルバムをユーザに提供した場合に、アルバム作成料金の課金がなされていない状態において閲覧防止フィルム２１０をはがしてアルバムをコピーした場合、又は、一度閲覧防止フィルム２１０をはがした後に、再度閲覧防止フィルム２１０をアルバムに貼り付けた場合でも、当該閲覧防止フィルム２１０が適正に貼り付けられたものではないことを判断して、適切にユーザに課金できる。
【００４６】
図４は、画像格納部６０の一例を示す。画像格納部６０は、画像データを一意に識別できる画像識別子に対応づけて、アルバムに配置された画像の画像データ、アルバムに配置された画像の配置位置、及び画像サイズ等を格納する。アルバムに配置された画像の配置位置は、画像が配置されているアルバムのページを示す情報、及びアルバムに対して座標軸を設定して、当該座標軸において、当該ページにおける画像の位置を示す座標情報であってよい。画像格納部６０は、アルバム作成部２０から画像識別子に対応づけて、画像データ、画像配置位置、及び画像サイズ等を受け取って格納する。そして、画像格納部６０は、フィルム適性判断部７０が有する画像外観算出部７２０に、画像識別子に対応付けられた、画像データ、アルバムにおける画像の配置位置、及び画像サイズ等を供給する。
【００４７】
図５は、フィルムデータ格納部４０の一例を示す。フィルムデータ格納部４０は、フィルムデータを一意に識別できるフィルム識別子に対応づけて、フィルムデータを格納する。ここで、フィルムデータとは、アルバムに貼り付ける閲覧防止フィルム２１０の種類、性質、及びサイズ等のデータであってよい。閲覧防止フィルム２１０の種類とは、例えば、半透明のフィルム、偏光性を有するフィルム、及び模様が描かれたフィルム等を示す種類であってよい。また、閲覧防止フィルム２１０の性質とは、閲覧防止フィルム２１０における光の透過率等の物理的性状であってよく、また、閲覧防止フィルム２１０に模様が描かれている場合には、当該模様の形状、色、明度、及び輝度等の情報を、フィルムデータ格納部４０は格納してもよい。
【００４８】
図６は、フィルム貼付位置格納部５０の一例を示す。フィルム貼付位置格納部５０は、アルバムの画像を一意に識別できる識別子に対応付けて、アルバムの画像の上に貼り付けられている閲覧防止フィルム２１０のフィルム識別子と、閲覧防止フィルム２１０が貼り付けられているアルバムにおける位置を示す情報である、フィルム貼付位置を格納する。フィルム貼付位置は、アルバムに対して座標軸を設定して、当該座標軸における閲覧防止フィルム２１０を貼り付けた位置を示す、座標情報であってよい。フィルム貼付位置格納部５０は、フィルム貼付部３０においてアルバムに貼り付けられた閲覧防止フィルム２１０のフィルム識別子と、閲覧防止フィルム２１０が貼り付けられたアルバムの位置情報とをフィルム貼付部３０から受け取った格納する。そして、フィルム貼付位置格納部５０は、画像識別子、フィルム識別子、及び閲覧防止フィルム２１０が貼り付けられた位置であるフィルム貼付位置を、画像外観算出部７２０に供給する。
【００４９】
図７は、画像変化関数格納部７１０の一例を示す。画像変化関数格納部７１０は、閲覧防止フィルム２１０を介さずに見える画像の外観に対する、閲覧防止フィルム２１０を介して見える画像の外観の変化を示す画像変化関数を格納する。画像変化関数は、半透明の閲覧防止フィルム２１０が貼り付けられることによる画像のぼけ量、閲覧防止フィルム２１０に模様が付されていた場合に、模様が描かれた閲覧防止フィルム２１０がアルバムの画像に貼り付けられることによる画像の外観の変化を示す関数等であってよい。
【００５０】
また、画像変化関数は、閲覧防止フィルム２１０の種類によって、異なる関数であってよい。例えば、画像変化関数は、閲覧防止フィルム２１０の材質、透明度、光の反射率、及び閲覧防止フィルム２１０上に描かれた模様等によって、閲覧防止フィルム２１０が貼り付けられた画像の外観が、閲覧防止フィルム２１０を介して見た場合における、画像の外観が変化する量に基づいた関数であってよい。例えば、閲覧防止フィルム２１０に模様がついている場合には、当該模様の色の情報を画像変化関数としてよい。係る色の情報に基づいて、アルバムの画像の上に当該閲覧防止フィルム２１０を貼り付けた場合に、閲覧防止フィルム２１０を介して見える画像の外観の色を、模様の色とアルバムの画像の色の混色として、画像外観算出部７２０は算出できる。
【００５１】
画像変化関数を用いれば、画像外観算出部７２０において、画像データ、及びフィルムの種類のデータ等から、実際に画像上に閲覧防止フィルム２１０を貼らなくても、閲覧防止フィルム２１０を貼った状態の画像の外観を示す画像データを算出できる。
【００５２】
図８は、アルバム提供システム１００における処理の流れの一例を示す。まず、画像取得部１０はユーザから画像を取得する（Ｓ１０００）。画像取得部１０は、取得した画像をアルバム作成部２０へ供給する。アルバム作成部２０は、画像取得部１０から受け取った画像を用いて、アルバムを作成する（Ｓ１０１０）。続いて、アルバム作成部２０は、作成されたアルバムをフィルム貼付部３０へ供給する。フィルム貼付部３０は、受け取ったアルバムに、閲覧防止フィルム２１０を貼り付ける（Ｓ１０２０）。そして、フィルム貼付部３０において閲覧防止フィルム２１０が貼り付けられた後に、印字部３５において、閲覧防止フィルム２１０に画像識別子、フィルム識別子、及びアルバムの返却期限が印字される。そして、アルバムがユーザに提供される（Ｓ１０３０）。
【００５３】
ユーザがアルバムを返却した場合には（Ｓ１０４０）、フィルム有無判断部８０は、アルバムがアルバムの返却期間内に返却されたか否かを判断する（Ｓ１０５０）。なお、ユーザが、提供されたアルバムの購入を希望した場合には、アルバムを返却せずに、ユーザ自身が所持してよい。係る場合には、アルバム提供システム１００は、アルバムの返却期間の経過後に、ユーザに課金処理をする。
【００５４】
フィルム有無判断部８０において、アルバムがアルバムの返却期限内に返却されていないと判断された場合には（Ｓ１０５０：Ｎｏ）、アルバムの返却期間が過ぎている旨の情報が課金部９０に供給される。そして、課金部９０は、ユーザにアルバム作成料金を課金する（Ｓ１０８０）。一方、フィルム有無判断部８０において、アルバムがアルバムの返却期間内に返却されていると判断された場合には（Ｓ１０５０：Ｙｅｓ）、フィルム有無判断部８０は、続いて、アルバムに閲覧防止フィルム２１０が貼り付いているか否かを判断する（Ｓ１０６０）。
【００５５】
フィルム有無判断部８０において、アルバムに閲覧防止フィルム２１０が貼り付いていないと判断された場合には（Ｓ１０６０：Ｎｏ）、アルバムに閲覧防止フィルム２１０が貼り付いていない旨の情報が課金部９０に供給される。そして、課金部９０は、ユーザにアルバム作成料金を課金する（Ｓ１０８０）。一方、フィルム有無判断部８０において、アルバムに閲覧防止フィルム２１０が貼り付いていると判断された場合には（Ｓ１０６０：Ｙｅｓ）、その旨を示す情報が撮像部７３０に供給される。
【００５６】
撮像部７３０は、ユーザから返却されたアルバムに配置された画像の外観を、閲覧防止フィルム２１０を介して撮像する。そして、撮像された画像は、画像外観比較判断部７４０に供給される。また、画像外観算出部７２０は、ユーザから受け取った画像、アルバムに貼り付けられた閲覧防止フィルム２１０に対応する画像変化関数、及び閲覧防止フィルム２１０が貼り付けられたアルバムにおける位置等に基づいて、閲覧防止フィルム２１０を介して見える画像の外観を算出する。そして、画像外観算出部７２０は、算出された画像を画像外観比較判断部７４０に供給する。
【００５７】
続いて、画像外観算出部７２０は、撮像部７３０から受け取った画像の外観と、画像外観算出部７２０において算出された画像とをマッチングして、アルバムに貼り付けられた閲覧防止フィルム２１０が適正に貼り付けられた閲覧防止フィルム２１０であるか否かを判断する。そして、閲覧防止フィルム２１０が適正に貼り付けられた閲覧防止フィルム２１０でなかった場合には（Ｓ１０７０：Ｎｏ）、その旨を示す情報が、画像外観比較判断部７４０から課金部９０へ供給される。そして、課金部９０は、ユーザにアルバム作成料金を課金する（Ｓ１０８０）。一方、閲覧防止フィルム２１０が適正に貼り付けられた閲覧防止フィルム２１０であった場合には（Ｓ１０７０：Ｙｅｓ）、アルバム提供システム１００は処理を終了する。
【００５８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５９】
【図１】アルバム提供システム１００の概念図である。
【図２】閲覧防止フィルム２１０の構成を示す図である。
【図３】アルバム提供システム１００の機能構成を示すブロック図である。
【図４】画像格納部６０を示す図である。
【図５】フィルムデータ格納部４０を示す図である。
【図６】フィルム貼付位置格納部５０を示す図である。
【図７】画像変化関数格納部７１０を示す図である。
【図８】アルバム提供システム１００の処理の流れを示すフローチャートである。
【符号の説明】
【００６０】
１０  画像取得部
２０  アルバム作成部
３０  フィルム貼付部
３５  印字部
４０  フィルムデータ格納部
５０  フィルム貼付位置格納部
６０  画像格納部
７０  フィルム適性判断部
８０  フィルム有無判断部
９０  課金部
１００  アルバム提供システム
１０５  ネットワーク
１１０  サーバ
１２０  アルバム作成装置
２００  アルバム
２０２、２０４、２０６  撮像画像
２１０  閲覧防止フィルム
４０２  フィルム
４０４  発泡層
４０６  着色層
４０８  画像
４１０  紙
４１２  発泡部分
４１４  着色部分
７１０  画像変化関数格納部
７２０  画像外観算出部
７３０  撮像部
７４０  画像外観比較判断部
【図１】
2006301859.tif 000003
【図２】
2006301859.tif 000004
【図３】
2006301859.tif 000005
【図４】
2006301859.tif 000006
【図５】
2006301859.tif 000007
【図６】
2006301859.tif 000008
【図７】
2006301859.tif 000009
【図８】
2006301859.tif 000010